(57)【要約】【課題】金庫の断熱性を向上させる。【手段】金庫の本体１は、外箱１１と内箱１２とで構成された中空状の殻体の内部にコンクリートを充填した構造になっている。外箱１１の先端縁部１１ａと内箱１２の先端縁部１２ａとは第１段部１８の箇所で平行になっており、両者の間に断熱性ガスケット３０が挟み込まれている。内箱１２の先端縁部１２ａは、その先端面の箇所が内箱１２の第１壁部１１ｂに飛び飛びの状態で溶接されている。外箱１１と内箱１２とは僅かの面積で繋がっているに過ぎないため、外箱１１に受けた熱が内箱１２に伝わることが著しく抑制されて断熱性を向上できる。【選択図】図２
2008163657.tif 000002
【特許請求の範囲】
【請求項１】
前向きに開口した本体と、前記本体の開口縁の一側部に蝶番にて水平回動自在に取付けた扉とを備えており、前記扉の外周面には内側に向けて段落ちした扉側段部が全周にわたって形成されている一方、前記本体のうち閉扉状態で扉の外周面と対向する開口部にも前記扉の段部が略重なる本体側段部が全周にわたって形成されており、更に、前記本体は金属板製の外箱及び内箱からなる殻体の内部に耐火材を充填した構造になっている、
という金庫であって、
前記本体における外箱の先端縁部と内箱の先端縁部とは、前記本体側段部かその近傍箇所において断熱性ガスケットを介して重なり合っている、
金庫。
【請求項２】
前記本体における内箱部のうち本体側段部の箇所に位置した先端縁部の内面と外面との両方に断熱性ガスケットが配置されており、内側の断熱性ガスケットは本体における外箱の先端縁部に重なっている一方、外側の断熱性ガスケットは閉扉状態で扉側段部と重なるように設定されており、更に、内箱の先端面は外箱に当接又は近接していて外箱に飛び飛びの状態で溶接されている、
請求項１に記載した金庫。
【発明の詳細な説明】
【技術分野】
【０００１】
本体は金庫に関するものである。なお、本願にいう金庫は、耐火庫を含む概念である。
【背景技術】
【０００２】
金庫は貴重品を収納するものであるため高い防盗性と耐火性・耐熱性が要求されている。このうち、耐火性・耐熱性についてはＪＩＳで等級が規定されており、試験方法としては、所定温度の火炎に所定時間（例えば２時間）晒して庫内の上昇温度を測定している。
【０００３】
金庫において火災によって庫内の温度が上がる原因の一つに、本体と扉との間の隙間から火炎や熱風が入り込むことがあり、そこで、火炎や熱風の浸入を阻止する基本的な対策の一つとして、扉の外周と本体の開口部とにそれぞれ煙返しと呼ばれる段部を形成することが行われている（煙返しの段部は防盗性向上にも貢献している。）。
【０００４】
しかし、扉と本体との間には多少なりとも隙間があるため、煙返しの段部を形成するだけでは断熱性の向上には限度がある。そこで、特許文献１では、段部のように扉と本体とが重なり合う面に断熱性パッキングを介在させることが記載されている。また、本体の開口部のうち扉と重なる部分に熱膨張性シール材を貼着することも行われている。
【特許文献１】実公昭５５−７６６９号公報
【発明の開示】
【発明が解決しようとする課題】
【０００５】
さて、金庫は防盗性の点から本体の外面は鋼板（一般には硬い特殊鋼）からなる外箱で構成されている一方、金庫の内面は鋼板製の内箱で形成されており、外箱と内箱とを溶接で一体化することで中空の殻体を形成し、その内部にコンクリートのような耐火材を充填している。
【０００６】
そして、本体を構成する外箱と内箱とはその性質からして一体化されているが、これらを構成する鋼板は熱の良伝導体である性質があり、このため、外箱と内箱とを伝わって熱が庫内に伝わっており、これも火災によって庫内の温度が上がる原因の一つになっている。しかし、特許文献１の構成は、このような外箱及び内箱を介して伝わる熱に対しては何らの効果も発揮できないのであった。
【０００７】
本願発明は、かかる現状を改善すべくなされたものである。
【課題を解決するための手段】
【０００８】
本願発明に係る金庫の基本構成は従来と同様であり、前向きに開口した本体と、前記本体の開口縁の一側部に蝶番にて水平回動自在に取付けた扉とを備えており、前記扉の外周面には内側に向けて段落ちした扉側段部が全周にわたって形成されている一方、前記本体のうち閉扉状態で扉の外周面と対向する開口部にも前記扉の段部が略重なる本体側段部が全周にわたって形成されており、更に、前記本体は金属板製の外箱及び内箱からなる殻体の内部に耐火材を充填した構造になっている。そして、請求項１の発明では、特徴として、前記本体における外箱の先端縁部と内箱の先端縁部とは、前記本体側段部かその近傍箇所において断熱性ガスケットを介して重なり合っている。
【０００９】
請求項２の発明は、請求項１において、前記本体における内箱部のうち本体側段部の箇所に位置した先端縁部の内面と外面との両方に断熱性ガスケットが配置されており、内側の断熱性ガスケットは本体における外箱の先端縁部に重なっている一方、外側の断熱性ガスケットは閉扉状態で扉側段部と重なるように設定されており、更に、内箱の先端面は外箱に当接又は近接していて外箱に飛び飛びの状態で溶接されている。
【発明の効果】
【００１０】
本願発明によると、本体を構成する外箱の先端縁部と内箱の先端縁部との間に断熱性ガスケットが介在しており、しかも、本体の外箱と内箱とはごく僅かの面積でしか繋がっていないため、火災時に熱が外箱から内箱に伝わることを防止又は著しく抑制できる。このため、金庫の断熱性を格段に向上することができる。
【００１１】
特に、請求項２のように構成すると、内箱における段部の表側に設けた断熱性ガスケットにより、扉を構成する金属板を介して熱が本体の内箱に伝わることと、扉と本体との間の隙間から火炎や熱風が庫内に入り込むこととを防止できるため、断熱性を一層向上させることができる。
【発明を実施するための最良の形態】
【００１２】
次に、本願発明の実施形態を図面に基づいて説明する。図１のうち（Ａ）は金庫の斜視図であり、金庫は、前向きに開口した本体１と、本体１の縦長一側縁に蝶番装置２にて水平回動自在に取付けられた扉３とを主要部材としている。
【００１３】
蝶番装置２は、本体１の前面に固着された固定部材４と、扉３に固着された可動部材５、両者を連結するピン６とで構成されている。扉３には、ハンドル７とダイアル錠８とシリンダ錠９とを設けている。なお、施錠装置として、ダイアル錠８に代えて又はこれに加えて、テンキー入力式の電気錠やリモコン操作される電気錠を設けることも可能である。なお、扉３の内面部には本体１の係合部に係脱する閂杆が配置されている。
【００１４】
図２は図１の II-II視平断面図であり、このうち（Ａ）は閉扉状態の図、（Ｂ）は開いた状態の部分図である。図２に示すように、本体１は、外箱１１と内箱１２とで中空の殻体を構成してその内部にコンクリート等の耐火材１３を充填した基本構造になっている。また、扉３も、外面板１４と内面板１５とで形成された中空体に耐火材１３を充填した構造になっている。
【００１５】
扉３の外周には、前面側にずれた状態に形成された扉側第１段部１６とその奥側に位置した扉側第２段部１７とがそれぞれ形成されている一方、本体１の開口部には、扉側第１段部１６が重なる（嵌まり込む）本体側第１段部１８と、扉側第２段部１７が重なる（密接する）本体側第２段部１９とが形成されている。これら段部１６〜１９と扉３及び本体１の全周にわたって形成されている。
【００１６】
扉３及び本体１の第１段部１６，１８は本体１の前面と略平行になっており、第２段部１７，１９は、正面視において内側は手前に位置した周囲の部分は奥側に位置するように緩い角度で傾斜している。また、扉３の外周のうち第２段部よりも奥側の部分は、奥に行くにしたがって間口の内側にずれる傾斜部２０ａになっており、また、本体１のうち扉３の傾斜面２０と対向した部分も傾斜部２０ｂになっている。
【００１７】
本体１における開口部のうち、扉３が取付けられている縦長一側部の傾斜面２１に、ポケット状の補助係合穴２１が１箇所又は上下に適宜間隔を隔てて複数箇所形成されている一方、扉３には補助係合穴に２１に嵌脱する固定式の補助閂２２を突設している。扉３の外周部２３は、内面板１５に一体に折り曲げ形成されているか、又は、外面板１４に一体に折り曲げ形成しているか、或いは、専用の板材で構成している。
【００１８】
扉３の外周部２３のうち補助閂２２を設けている部分には縦長の第１補強枠２４が溶接によって固着されており、補助閂２２は内側補強枠２４にボルト２５で固着されている。補助係合穴２１も鋼板で覆われている。
【００１９】
扉３のうち回動中心の側に位置した内面部には、外面板１４と外周部２３とに重なった平断面略コ字状の第２補強枠２６が溶接によって固着されている。他方、蝶番装置２の可動部材５は扉３の内部に入り込むと共に第２補強枠２６の内面に密着又は密接する平面視略Ｌ形の嵌入部５ａと、嵌入部５ａが嵌まる穴２７を塞いだ状態で回動中心の外側に延びるフランジ部５ｂとを備えている。
【００２０】
そして、嵌入部５ａを第２補強枠２６に溶接によって固着し、また、フランジ部５ｂは外面板１４に溶接によって固着されている。
【００２１】
本体１の外箱１１は第１段部１８まで延びており、外箱１１のうち縦長一側部の内面には平面視コ字状の第３補強枠２８が溶接によって固着されており、蝶番装置２の固定部材４はボルト２９で第３補強枠２８及び外箱１１に固着されている。また、蝶番装置２の固定部材４は外箱１１に溶接によっても固着されている。
【００２２】
本体１の内箱１２は本体側第１段部１８まで延びており、そして、内箱１２のうち本体側第１段部１８を構成する先端縁部１２ａの内面と外面とに薄板状（テープ状）の断熱性ガスケット３０，３１を接着剤や両面粘着テープによって貼り付けており、更に、外箱１１のうち本体第１段部１８の箇所に位置した先端縁部１１ａを内側の断熱性ガスケット３０に重ね合わせている。換言すると、外箱１１の先端縁部１１ａと内箱１２の先端縁部１２ａとで内側の断熱性ガスケット３０を挟み付けている。なお、断熱性ガスケットの素材には限定はなく、耐火断熱性を備えておればよい。その性質から一般には無機質のものが選択される。
【００２３】
内箱１２における先端縁部１２ａの先端面は外箱１１の第１壁部１１ｂに当接又は近接しており、先端面の箇所を飛び飛びの状態で外箱１１の第１壁部１１ｂに溶接で固着している（溶接箇所を符号３２で示す。）。外箱１１の先端縁部１１ａの先端には、奥側に入り込んだ補助片１２ｃが折り曲げ形成されている。補助片１２ｃは先端縁部１１ａの形状安定性を得るための一種のリブ的なものである。
【００２４】
なお、外箱１１は１枚板で構成される必要はなく、一般には、複数枚の板材を溶接して構成されている。例えば、背面板用板材、天板部用板材、側板用板材、底板用板材の５枚の板材で構成することができる。小型の金庫の場合は、１枚板を展開した状態に打ち抜いてから折り曲げて突き合わせ箇所を溶接する、といった形態となすことも可能である。第１段部１８から傾斜部２０ｂまでの部分を独立した板材で構成する、といったことも可能である。
【００２５】
外箱１１のうち本体側第段部１８の手前側の第１壁部１１ｂには、テープ状の熱膨張性断熱材３３を貼着している。熱膨張性断熱材３３はある程度の温度になると発泡して本体１と扉３との間の隙間をシールするものであり、セラミック系のものや黒鉛系のものなどを使用できる。
【００２６】
以上の構成において、外箱１１と内箱１２とは溶接部３３のみの僅かの面積で繋がっているに過ぎず、外箱１１の先端縁部１１ａと内箱１２の先端縁部１２ａとは断熱性ガスケット３０で分断されているため、火災によって外箱１１が加熱されても熱が内箱１２に伝わることは著しく抑制され、このため、金庫の断熱性能を格段に向上できる。また、閉扉状態において扉３の第１段部１６と本体１の第１段部１８とで外側の断熱性ガスケット３１が挟まれていることと、熱膨張性断熱材３２を配置していることにより、火炎や熱風が庫内に入り込むことが阻止される。
【００２７】
なお、外箱１１と内箱１２とを一体化する溶接部３２は飛び飛びにしか存在しないため、ある程度の外力がかかると離脱し得る。従って、賊が蝶番装置２の可動部５がバールで起こそうとすることで外箱１１の第１壁部１１ｂと第１段部１１ａとが奥側に移動する傾向を呈すると、溶接部３２が破断して内箱１２の第１段部１６や第２段部１７は元の状態のままとなり、このため、補助閂２２が補助係合穴２１に嵌まったままの状態が保持され、その結果、防盗性の向上にも寄与できる。
【００２８】
以上、本願発明の実施形態の一例を説明したが、本願発明は上記の実施形態の他にも様々に具体化できる。例えば扉３と本体１との段部は１箇所のみ形成されていてもよいし、逆に、３段以上形成されていてもよい。
【００２９】
また、本体の外箱と内箱とは、扉の外周面と対向した部分のうち任意の部分において断熱性ガスケットを介して接合されておれば足りるのであり、従って、実施形態を例にとると、外箱１１の先端縁部１１ａと内箱１２の先端縁部１２ａとを第２段部１９の箇所に位置させてこの部位に断熱性ガスケットを配置したり、外箱１１の先端縁部１１ａと内箱１２の先端縁部１２ａとを第２段部１９の壁部の箇所又は第１段部１８の壁部の箇所に位置させてこの部位に断熱性ガスケットを配置したりするといったことも可能である。
【００３０】
なお、本願発明は扉に適用することができる。すなわち、扉を外面板と内面板とで中空状に形成するにおいて、外周部において外面板と内面板とが断熱性ガスケットを介して重なるように設定するのであり、例えば、上記した実施形態を例に取ると、第１段部１６又は第２段部１７の箇所において外面板の縁部と内面板の縁部が平行になるように配置して、両者の間に断熱性ガスケットを挟み込んだらよい。
【図面の簡単な説明】
【００３１】
【図１】（Ａ）は金庫斜視図、（Ｂ）は蝶番装置の分離斜視図である。
【図２】図１（Ａ）の II-II視断面図であり、（Ａ）は閉扉状態での図、（Ｂ）は扉を少し開いた状態での図である。
【符号の説明】
【００３２】
１  本体
２  蝶番装置
３  扉
１１  本体の外箱
１２  本体の内箱
１４  扉の外面板
１５  扉の内面板
１６  扉側第１段部
１７  扉側第２段部
１８  本体側第１段部
１９  本体側第２段部
１２ａ  内箱の先端縁部
１１ａ  外箱の先端縁部
３０  内側の断熱性ガスケット
３１  外側の断熱性ガスケット
【図１】
2008163657.tif 000003
【図２】
2008163657.tif 000004